(57)【要約】【課題】手首などの装着対象に対する装着作業を容易に行うことがで出来るキーホルダー保持バンドを提供する。【解決手段】キーホルダー２が取り付けられた可撓性を有するベルト体４と、当該ベルト体４の一端側４ａに設けられ、これに挿通される当該ベルト体４の他端側４ｂの適宜箇所を係脱自在に係止して、当該ベルト体４により拡縮自在な環状装着部４ｃおよび当該環状装着部４ｃの拡縮を調整する調整用延出部４ｄを形成する留め具５と、上記調整用延出部４ｄに設けられ、当該調整用延出部４ｄの上記留め具５からの抜脱を規制するストッパ部材としてのメス型スナップ６とを備える。【選択図】図１
2006061571.tif 000002
【特許請求の範囲】
【請求項１】
キーホルダーが取り付けられた可撓性を有するベルト体と、当該ベルト体の一端側に設けられ、これに挿通される当該ベルト体の他端側の適宜箇所を係脱自在に係止して、当該ベルト体により拡縮自在な環状装着部および当該環状装着部の拡縮を調整する調整用延出部を形成する留め具と、上記調整用延出部に設けられ、当該調整用延出部の上記留め具からの抜脱を規制するストッパ部材とを備えたことを特徴とするキーホルダー保持バンド。
【請求項２】
前記ベルト体には、係合部材と、当該係合部材に係合される被係合部材とが設けられ、少なくとも上記係合部材は前記調整用延出部に設けられていることを特徴とする請求項１に記載のキーホルダー保持バンド。
【請求項３】
前記ベルト体の調整用延出部に設けられた係合部材は、前記ストッパ部材を兼ねることを特徴とする請求項２に記載のキーホルダー保持バンド。
【請求項４】
前記ベルト体の調整用延出部は、前記ベルト体の前記留め具に係止された部分を基点に折り返されて前記留め具を覆うことを特徴とする請求項１〜３いずれかの項に記載のキーホルダー保持バンド。
【請求項５】
前記留め具は、ベース体と、当該ベース体にヒンジ部を介して回動自在に取り付けられた係止部材とを備え、当該係止部材は、上記ヒンジ部を中心にベルト体係止部と係止操作片とを有する断面略くの字型の形状に形成され、上記係止操作片を押圧操作することによって回動される上記ベルト体係止部が上記ベース体との間で前記ベルト体を押さえつけることを特徴とする請求項１〜４いずれかの項に記載のキーホルダー保持バンド。
【請求項６】
前記ヒンジ部周りの前記係止操作片の押圧操作は、前記ベルト体の調整用延出部を上記係止操作片に押圧することによって行うことを特徴とする請求項５に記載のキーホルダー保持バンド。
【請求項７】
前記係止操作片の押圧操作方向は、前記ベルト体の調整用延出部の折り返し方向と一致することを特徴とする請求項６に記載のキーホルダー保持バンド。
【請求項８】
前記ベルト体に設けられた被係合部材は、前記ベルト体の環状装着部に設けられていることを特徴とする請求項２〜７いずれかの項に記載のキーホルダー保持バンド。
【請求項９】
前記被係合部材は、前記ベルト体の環状装着部に互いに間隔を隔てて複数設けられていることを特徴とする請求項８に記載のキーホルダー保持バンド。
【請求項１０】
前記ベルト体は、型成型品ではない、柔軟な合成樹脂、あるいは合成繊維からなるシートの細片からなることを特徴とする請求項１〜９いずれかの項に記載のキーホルダー保持バンド。
【請求項１１】
前記ベルト体の環状装着部の一部は、当該環状装着部の他の部分よりも強度が低く破断しやすい脆弱部分であることを特徴とする請求項１〜１０いずれかの項に記載のキーホルダー保持バンド。
【請求項１２】
前記脆弱部分は、前記環状装着部の他の部分と別体のベルト片であって、上記環状装着部の他の部分と、分解可能な接合部材によって接合されてなることを特徴とする請求項１１に記載のキーホルダー保持バンド。
【請求項１３】
前記ベルト体、前記留め具、および前記ストッパ部材のうち、少なくとも当該ベルト体、および当該留め具は、非金属の素材からなることを特徴とする請求項１〜１２いずれかの項に記載のキーホルダー保持バンド。
【請求項１４】
前記ベルト体の一端側には、上記留め具に代えて、当該ベルト体の他端側が挿通され、当該ベルト体により拡縮自在な環状装着部および当該環状装着部の拡縮を調整する調整用延出部を形成する挿通具を設け、上記ベルト体の上記調整用延出部には、係合部材が設けられ、上記ベルト体の上記環状装着部に設けられた被係合部材に係合されることを特徴とする請求項１、３、４、９〜１３いずれかの項に記載のキーホルダー保持バンド。
【発明の詳細な説明】
【技術分野】
【０００１】
本発明は、手首などの装着対象に対する装着作業を容易に行うことが出来るキーホルダー保持バンドに関する。
【背景技術】
【０００２】
アスレチッククラブやスパなどの各種施設では一般に、入館から退館までの間、荷物を一時的に預かるロッカーなどの各種保管設備が備えられている。特にキーを用いて開け閉めする保管設備では、荷物を預けてから引き取るまでの間、キーを身に付けておく必要がある。そのため、キーホルダーを、ゴム製や弾力性のあるプラスチック製などのバンドにて保持し、このバンドを手首や足首などの部分に巻き付けることによってキーを身につけておくためのキーホルダー保持バンドが使用されている。このようなキーホルダー保持バンドの一例として、特許文献１に開示されたものが知られている。
【０００３】
特許文献１は、手首、腕等に密着して着用性が良く、鍵の使用性も良好であって高級なイメージを有し、サウナ等の熱に対しても安定であり、金属製の鍵が直接肌にふれることがないようにして、火傷の心配もなく、ぬれない又は速乾性があって伸びないようにした鍵の保持バンドを提供することを目的としており、この鍵の保持バンドの構造は、図７に示すように、手首等の周方向に装着可能な係止部を設けた鍵の保持バンドａに於いて、バンド本体ｂを軟化点の高いぬれないプラスチックの素材で構成するとともに、その略中間にバンド本体ｂに対して直角方向に突出した舌片ｃを有する袋状の鍵収納部ｄを設け、前記舌片ｃの先端には鍵ｅを回動可能に取り付け、以て鍵ｅを前記鍵収納部ｄ内で腕等の長手方向に沿って保持出来るようにしている。
【０００４】
またこの鍵の保持バンドａは、バンド本体ｂの一端側ｆの先端に係止具ｇが設けられており、バンド本体ｂの他端側ｈを係止具ｇの挿通孔ｉに挿通した後、他端側ｈに複数穿設された係合孔ｊのうち適宜のものに、係止具ｇのピンｋを係合することによって、手首などに装着される。
【特許文献１】実公平３−４９５７３号公報
【発明の開示】
【発明が解決しようとする課題】
【０００５】
ところで、上記従来技術にあっては、手首などの装着対象に対する装着作業が非常に困難であるという問題点があった。
【０００６】
具体的には、上記鍵の保持バンドａのバンド本体ｂは、手首などの装着対象に装着していない時には環状をなすものではなく、係止具ｇのピンｋを適宜な係合孔ｊに係合することによって環状をなし、装着対象に装着されるものである。鍵の保持バンドａを手首などに装着する手順は、まず、ベルト本体部ｂの一部、例えば一端側ｆの係止具ｇ付近などを装着対象となる手首にあてがい、装着者自身の胸部などとの間に挟んでこれを保持し、それから反対側の手でベルト本体部ｂの他端側ｈを係止具ｇの挿通孔ｉに挿通させ、何らかの方法で、この挿通状態を維持しつつ同時に装着対象となる手首の大きさに合う適宜な係合孔ｊに、係止具ｇのピンｋをうまく導いて挿入しなくてはならない。
【０００７】
ところがここで、例えばエチレン酢酸ビニル重合体のような材料により一体的に射出成形された比較的剛性の高いプラスチック等からなるベルト本体部ｂは、手指などにより支持し続けなくては環状に曲げた状態を維持することが難しい。また、バンド本体ｂの他端側ｈに対する係止具ｇの挿通孔ｉの大きさ、およびピンｋや係合孔ｊの大きさは比較的小さいものであるため、上記のような手順で使用者自身がバンドａを手首などに装着する作業は、よほど使用者が器用であっても非常に困難であった。
【０００８】
本発明は上記従来の課題に鑑みて創案されたものであって、手首などの装着対象に対する装着作業を容易に行うことが出来るキーホルダー保持バンドを提供することを目的とする。
【課題を解決するための手段】
【０００９】
本発明にかかるキーホルダー保持バンドは、キーホルダーが取り付けられた可撓性を有するベルト体と、当該ベルト体の一端側に設けられ、これに挿通される当該ベルト体の他端側の適宜箇所を係脱自在に係止して、当該ベルト体により拡縮自在な環状装着部および当該環状装着部の拡縮を調整する調整用延出部を形成する留め具と、上記調整用延出部に設けられ、当該調整用延出部の上記留め具からの抜脱を規制するストッパ部材とを備えたことを特徴とする。
【００１０】
また、前記ベルト体には、係合部材と、当該係合部材に係合される被係合部材とが設けられ、少なくとも上記係合部材は前記調整用延出部に設けられていることを特徴とする。
【００１１】
また、前記ベルト体の調整用延出部に設けられた係合部材は、前記ストッパ部材を兼ねることを特徴とする。
【００１２】
また、前記ベルト体の調整用延出部は、前記ベルト体の前記留め具に係止された部分を基点に折り返されて前記留め具を覆うことを特徴とする。
【００１３】
また、前記留め具は、ベース体と、当該ベース体にヒンジ部を介して回動自在に取り付けられた係止部材とを備え、当該係止部材は、上記ヒンジ部を中心にベルト体係止部と係止操作片とを有する断面略くの字型の形状に形成され、上記係止操作片を押圧操作することによって回動される上記ベルト体係止部が上記ベース体との間で前記ベルト体を押さえつけることを特徴とする。
【００１４】
また、前記ヒンジ部周りの前記係止操作片の押圧操作は、前記ベルト体の調整用延出部を上記係止操作片に押圧することによって行うことを特徴とする。
【００１５】
また、前記係止操作片の押圧操作方向は、前記ベルト体の調整用延出部の折り返し方向と一致することを特徴とする。
【００１６】
また、前記ベルト体に設けられた被係合部材は、前記ベルト体の環状装着部に設けられていることを特徴とする。
【００１７】
また、前記被係合部材は、前記ベルト体の環状装着部に互いに間隔を隔てて複数設けられていることを特徴とする。
【００１８】
また、前記ベルト体は、型成型品ではない、柔軟な合成樹脂、あるいは合成繊維からなるシートの細片からなることを特徴とする。
【００１９】
また、前記ベルト体の環状装着部の一部は、当該環状装着部の他の部分よりも強度が低く破断しやすい脆弱部分であることを特徴とする。
【００２０】
また、前記脆弱部分は、前記環状装着部の他の部分と別体のベルト片であって、上記環状装着部の他の部分と、分解可能な接合部材によって接合されてなることを特徴とする。
【００２１】
また、前記ベルト体、前記留め具、および前記ストッパ部材のうち、少なくとも当該ベルト体、および当該留め具は、非金属の素材からなることを特徴とする。
【００２２】
また、前記ベルト体の一端側には、上記留め具に代えて、当該ベルト体の他端側が挿通され、当該ベルト体により拡縮自在な環状装着部および当該環状装着部の拡縮を調整する調整用延出部を形成する挿通具を設け、上記ベルト体の上記調整用延出部には、係合部材が設けられ、上記ベルト体の上記環状装着部に設けられた被係合部材に係合されることを特徴とする。
【発明の効果】
【００２３】
本発明にかかるキーホルダー保持バンドにあっては、手首などの装着対象に対する装着作業を容易に行うことが出来る。
【発明を実施するための最良の形態】
【００２４】
以下に、本発明にかかるキーホルダー保持バンドの好適な一実施形態を、添付図面を参照して詳細に説明する。本実施形態にかかるキーホルダー保持バンド１は基本的には、図１から図３に示されている。特に、図１にその斜視図を示すように、キーホルダー保持バンド１は、キーホルダー２を保持して手首３などの装着対象、図示例では使用者の左手首３に装着するための可撓性を有するベルト体４と、ベルト体４の一端側４ａ先端に設けられてベルト体４の他端側４ｂを挿通させている留め具５と、ベルト体４の他端側４ｂ先端付近に設けられたストッパ部材としてのメス型スナップ６とから主に構成される。キーホルダー２にはキー２ａが、その先端部が回動自在となるように取り付けられて、キーホルダ２の内側に形成されたキー収納用の空間に収容されており、バンド１の手首３への装着時にはキー２ａが手首３に直接触れないようになっている。
【００２５】
留め具５は、ベルト体４の適宜な箇所を係脱自在に係止することによって、ベルト体４の、拡縮自在な環状装着部４ｃと、環状装着部４ｃの拡縮を調整する部分である調整用延出部４ｄとを形成する。環状装着部４ｃは、キーホルダー保持バンド１を手首３に装着する装着作業時に手首３を挿入する部分であって、その際、留め具５からの調整用延出部４ｄの延出量を調節して、手首３の周方向大きさに合わせて拡縮を決定した上で、ベルト体４の適宜な箇所を留め具５に係止する。調整用延出部４ｄは、長さ的に言えば、ベルト体４の全体から環状装着部４ｃを除いた部分であり、構造的に言えばベルト体４の、留め具５から延出した部分である。
【００２６】
ストッパ部材としてのメス型スナップ６は、調整用延出部４ｄが留め具５から抜脱することを規制し、ベルト体４の環状部分、すなわち環状装着部４ｃの形状を維持している。すなわち、キーホルダー保持バンド１は、手首３への非装着時においても、ベルト体４の一端側４ａから他端側４ｂまでの形状が直線的な形状となることはなく、環状装着部４ｃの環状形態が常に維持されている。
【００２７】
ストッパ部材であるとともに、係合部材としても機能するメス型スナップ６は、環状装着部４ｃに設けられた被係合部材としての２つのオス型スナップ７のいずれかに係合されることによって、調整用延出部４ｄが環状装着部４ｃ上に固定される。その際、調整用延出部４ｄは、ベルト体４の留め具５に係止された部分を基点に折り返されて、留め具５を覆うように固定される。
【００２８】
留め具５およびその周辺の構成要素についてさらに詳述する。図２に示すように、留め具５は、ベース体５ａと、このベース体５ａにヒンジ部５ｂを介して回動自在に取り付けられた係止部材５ｃとを備えている。ベース体５ａと係止部材５ｃとの間には、挿通孔５ｆが形成されており、ベルト体４の他端側４ｂが挿通されている。係止部材５ｃは、ヒンジ部５ｂを中心にベルト体係止部５ｄと係止操作片５ｅとを有する断面略くの字型の形状に形成されている。キーホルダー保持バンド１を手首３に装着する際には、係止操作片５ｅを、装着する手首３と反対側の右手の指などで保持して、ベース体５ａに向かって押圧操作することにより、ベルト体係止部５ｄがヒンジ部５ｂの周りに回動され、挿通孔５ｆに挿通されているベルト体４の他端側４ｂを、ベース体５ａとの間に押さえつけることによってベルト体４が係止される。図２においては、係止部材５ｃがベルト体４を係止した状態ではなく、解放した状態を示している。
【００２９】
調整用延出部４ｄに設けられたメス型スナップ６は、その外形寸法が留め具５の挿通孔５ｆの寸法よりも大きいため、調整用延出部４ｄが挿通孔５ｆから抜けて、留め具５から抜脱することを規制している。その結果、ベルト体４の環状装着部４ｃが、常に環状の形態を維持している。
【００３０】
ベース体５ａの、ベルト体４の調整用延出部４ｄが延出している側の下端には、ベルト体４の一端側４ａ先端を保持する係止部５ｇが設けられている。本実施形態にあっては、後述するように、係止部５ｇにはベルト体４の脆弱部分４ｅが保持されている。
【００３１】
本実施形態のキーホルダー保持バンド１のベルト体４、留め具５、メス型スナップ６、オス型スナップ７は、いずれも金属などの素材と比較して、剛性が低く、熱伝導性の低い合成樹脂から形成されている。特に、本実施形態のキーホルダー保持バンド１のベルト体４は、射出成形などの型成型品でなく、合成樹脂あるいは合成繊維の柔軟なシートの細片からなるものである。例えば、着色されたあるいは透明な軟質塩化ビニール製のシートやフィルムなどで形成される。一例を挙げれば、比較的柔軟な素材の防水シートを約１ｃｍ幅に裁断したものを使用する。なお、これらの構成要素の素材はあくまでも一例であって、上記の例に限定されるものではない。
【００３２】
図３〜図５を用いて、ベルト体４各部の詳細、および本実施形態のキーホルダー保持バンド１を、使用者が装着する際の手順やその際のキーホルダー保持バンド１の各部の動きについて詳細に説明する。図３〜図５は、本実施形態のキーホルダー保持バンド１の留め具５付近の側面図である。なお、図３〜図５の各図では、簡単のために、環状装着部４ｃを直線状に描いているが、実際の装着作業時には手首３に巻かれるため湾曲される。また、前述したように、装着作業時や装着時以外でも、環状装着部４ｃの全体は常に環状をなす。ベルト体４の環状装着部４ｃの一般部分４ｆは、上記柔軟なシートの細片を２枚重ねて互いに圧着した、強度の高いものを使用している。一方、脆弱部分４ｅは、一般部分４ｆよりも強度が低く破断しやすいようにするため、１枚で構成している。なお、環状装着部４ｃは、このような構成に限定されるものではなく、必ずしも上記のような脆弱部分４ｅを設けなくともよい。
【００３３】
脆弱部分４ｅの一端側には、係止部５ｇで折り返された上で接合されて係止部５ｇを取り囲む筒部４ｇが形成されており、脆弱部分４ｅはこの筒部４ｇをもって、留め具５のベース体５ａの係止部５ｇに係止されている。脆弱部分４ｅの他端側は、一般部分４ｆと、接合部材としてのリベット組立体８を介して接合されている。本実施形態におけるリベット組立体８は、プラスチック製の簡便な嵌合タイプのものであり、本キーホルダー保持バンド１を使用する施設であるアスレチッククラブやスパなどの現場において簡単に接合作業が行えるものである。もちろん、一定の接合強度を有してはいるが、必要に応じて現場で分解可能でもある。従って、修理の際などは、必ずしも工場等の本格的な製造設備において接合作業を行う必要が無い。なお、この接合部材は本実施形態のリベット組立体８に限定されるものではなく、熱圧着など、その他の公知・周知の手段によるものであってもよいことはもちろんである。
【００３４】
図３では、留め具５の係止部材５ｃに設けられたベルト体係止部５ｄの端部は、まだベース体５ａ上のベルト体４の方向を向いておらず、ベルト体４を押さえつけて係止した状態でない。すなわち、留め具５の係止部材５ｃは、ベルト体４の解放状態にある。使用者はまず、留め具５をこのような解放状態にしておいて、図１のように、左手首３をベルト体４の環状装着部４ｃの中に挿入する。そして逆側の右手でベルト体４の調整用延出部４ｄを保持し、これを引っ張ることにより、環状装着部４ｃの径（拡縮）を、手首３の大きさに合わせてぴったりの大きさとなるように調節する。
【００３５】
その際、調整用延出部４ｄを、図４に示す矢印Ｙのような方向、すなわち留め具５を基点として折り返す方向であって、かつ調整用延出部４ｄの下面が留め具５の係止操作片５ｅをほどほどに押圧操作するような方向に引っ張ることが好ましい。これにより図３の状態よりも、図面で右回りの方向に回動されたベルト体係止部５ｄが、ベース体５ａ上のベルト体４の部分を若干押さえつけ、その移動をほどほどに規制する。しかしながらこの状態では、ベルト体係止部５ｄは完全にはベルト体４を係止しておらず、いまだ調整用延出部４ｄを引っ張ることにより、ベース体５ａ上のベルト体４を移動させることが可能である。
【００３６】
次に、調整用延出部４ｄを矢印Ｙの方向に引っ張ることによって、環状装着部４ｃの拡縮が左手首３の周方向大きさにぴったりと合うように調節された時点で、調整用延出部４ｄを矢印Ｙよりも下向きの方向、すなわち図３で環状装着部４ｃに設けられたオス型スナップ７に近づけるような方向に引っ張ることにより、係止操作片５ｅがより一層押圧される。すると、ベルト体係止部５ｄは、より一層ベース体５ａ上のベルト体４を押さえつけるように回動され、ほとんど完全にベルト体４の移動を規制した状態になる。一旦このような状態にすれば、調整用延出部４ｄを引っ張っていた右手の指を放してみても、調整用延出部４ｄが元の方向に移動し、環状装着部４ｃの径が拡大して手首３に対してゆるんでしまうことはない。
【００３７】
つまり、調整用延出部４ｄを矢印Ｙのような方向に引っ張ることによって、ベース体５ａ上のベルト体４の移動を規制することと、環状装着部４ｃの拡縮を手首３の周方向大きさにぴったりと合うように調節することとを、同時に行うことが出来る。これにより、キーホルダー保持バンド１の装着作業のうち、環状装着部４ｃの拡縮を手首３の周方向大きさとぴったり合うように調節するまでの操作を、右手のみで容易に行うことが出来る。しかもこの際、調整用延出部４ｄの引っ張り具合を連続的に調節することが出来るので、環状装着部４ｃの径も連続的に調節することが出来、手首３の周方向大きさに合わせてぴったりと合うように調節することが可能となる。
【００３８】
次に、図５に示す矢印Ｚのような方向に、自由になった右手の指を用いて、留め具５の係止操作片５ｅをベルト体４の調整用延出部４ｄの上から強く押圧操作して、係止部材５ｃをヒンジ部５ｂの周りに完全に回動させることにより、ベルト体係止部５ｄがベース体５ａ上のベルト体４を完全に押さえつけ、その移動を完全に規制するようにする。これによってベルト体４は留め具５に対して完全に係止されたことになる。
【００３９】
最後に、図５に示すように、右手の指を用いて調整用延出部４ｄに設けられたメス型スナップ６を環状装着部４ｃに設けられたオス型スナップ７のうち適宜な方に係合する。
【００４０】
以上説明したように本実施形態のキーホルダー保持バンド１にあっては、ストッパ部材としてのメス型スナップ６が、ベルト体４の調整用延出部４ｄの留め具５からの抜脱を規制するので、ベルト体４の環状装着部４ｃが常に環状に維持される。そのためキーホルダー保持バンド１を左手首３に装着するためには、環状装着部４ｃに装着対象となる左手首３を挿入した上で、反対側の右手で環状装着部４ｃの拡縮を左手首の大きさに合わせて調節し、留め具５を用いてベルト体４を係止するだけでよい。従って、従来技術のように右手でベルト体４を環状に曲げ、これを保持しながらベルト体４を係止するというような困難な作業は全く必要なく、非常に簡単に装着作業を行うことができる。
【００４１】
また、キーホルダー保持バンド１の装着中は、調整用延出部４ｄに設けられたメス型スナップ６が環状装着部４ｃに設けられたオス型スナップ７に係合されて、ベルト体４の調整用延出部４ｄが環状装着部４ｃ上に固定される。これにより、ベルト体４のいわゆる余った部分である調整用延出部４ｄが、留め具５から下垂したり突出したりして、使用者にとって邪魔になったり、気になったりすることがなく、さらに良好な装着感を得ることが出来る。さらに本実施形態では、オス型スナップ７が一定の間隔をあけて２つ設けられているため、調整用延出部４ｄの長さに応じて適切な位置のオス型スナップ７を選択すれば、より一層ぴったりと調整用延出部４ｄを環状装着部４ｃ上に固定することが出来る。
【００４２】
また、係合部材としてのメス型スナップ６は、ストッパ部材をも兼ねる構成としたので、部品点数の削減と、製造工程の簡単化を図ることが出来る。
【００４３】
また、ベルト体４の調整用延出部４ｄは、留め具５に係止された部分を基点に折り返されて留め具５を覆いつつ、メス型スナップ６がオス型スナップ７に係合されて環状装着部４ｃに固定される構成としたので、留め具５のベルト体４に対する係止部分を上記調整用延出部４ｄが適切に保護する。従って、留め具５の係止部材５ｃが偶然、解除されるなどのおそれがなく、ベルト体４の環状装着部４ｃがゆるんでキーホルダー保持バンド１が手首からはずれることを防止することが可能であるので、本実施形態のキーホルダー保持バンド１がアスレチッククラブなどのスポーツ施設などで用いられたとしても、好ましく使用出来る。
【００４４】
また、留め具５は、係止部材５ｃの係止操作片５ｅを手指などで押圧操作するだけで、簡単に、係止部材５ｃのベルト係止部５ｅがヒンジ部５ｂ周りに回動されて、ベース体５ａ上のベルト体４を押さえつけるという、非常に簡単にベルト体４を係止することが出来る構造のものを用いている。従って、キーホルダー保持バンド１を左手首に装着する際には、調整用延出部４ｄを引いて環状装着部４ｃの拡縮を左手首３の大きさにぴったりと合うように調節した後、右手の指で係止操作片５ｅを押圧操作するだけで、容易にベルト体４を係止することが出来る。
【００４５】
また、例えば図７に示す従来技術においては、係合孔ｊは複数穿設されているが、各係合孔ｊは互いに一定の間隔を有しているので、どの係合孔ｊを選択しても、バンドａの環状となる部分が手首などの装着対象の大きさになかなかぴったりと合わず、きつすぎて装着感が悪かったり、ゆるすぎてバンドａ全体が使用者の腕の長手方向、あるいは環の周方向に動いてずれてしまったりするという問題もあった。これに対し、本実施形態の留め具５の構造では、ベルト体４の適宜な箇所を連続的に係脱自在に係止することが可能なので、左手首３に巻き付ける環状装着部４ｃの拡縮を、きつすぎず、ゆるすぎずぴったりした大きさに調整することができて、使用者は非常に良好な装着感を得ることが出来る。
【００４６】
また、係止操作片５ｅの押圧操作は、ベルト体４の調整用延出部４ｄを引っ張りつつ押圧することによって行うことが出来、しかも調整用延出部４ｄの留め具５からの折り返し方向と一致する方向であるので、図４に示したように、キーホルダー保持バンド１を装着する際に、調整用延出部４ｄを矢印Ｙのような方向に引っ張りつつ、その裏面で係止操作片５ｅをほどほどに押圧操作することによって、環状装着部４ｃの拡縮を手首３の周方向大きさにぴったりと合うように調節することと、ベース体５ａ上のベルト体４の移動を規制することを、同時に行うことが出来る。これにより、キーホルダー保持バンド１の装着作業のうち、環状装着部４ｃの拡縮を手首３の周方向大きさとぴったり合うように調節するまでの手順を、環状装着部４ｃの中に左手首３を挿入した状態で、反対側の右手のみで容易に行うことが出来、その時点で右手を放してしまっても、ベルト体４の係止がはずれて環状装着部４ｃの拡縮が拡大し、手首３に対してゆるんでしまうことはない。その後、係止操作片５ｅを完全に押し込む操作、およびメス型スナップ６をオス型スナップ７に係合して調整用延出部４ｄを環状装着部４ｃに固定する操作は、自由になった右手で簡単に行うことが出来る。以上要するに、このような構成としたことで、キーホルダー保持バンド１を装着する作業を非常に簡単に行うことが出来る。
【００４７】
また、ベルト体４は、射出成形などの型成型品でなく、合成樹脂あるいは合成繊維の柔軟なシートの細片からなるものとしたので、例えばエチレン酢酸ビニル重合体のような合成樹脂材料を一体的に射出成形することによって製造されるようなベルト体４と比較して、金型の製作や成形工程がが不要となる等、製造工程の簡単化やコスト削減を図ることが出来る。また、そのような型成形によるベルト体４と比較して、薄く、重量も軽く、より柔軟であるので、装着中に違和感を感じることもなく、また汗などが手首３などの装着対象との間に保持されて蒸れるようなこともなく、より良好な装着感を得ることが出来る。
【００４８】
また、ベルト体４の環状装着部４ｃの一部に、一般部分４ｆよりも強度が低く破断しやすい脆弱部分４ｅを設けたことによって、キーホルダー保持バンド１の装着中に、例えばレジャープール施設の滑り台のような固設物と引っ掛かって手首３に過度の負荷がかかるような場合に、この脆弱部分４ｅが破断することによって、怪我や事故などの発生を防止することが出来る。
【００４９】
また、この脆弱部分４ｅは一般部分４ｆと別体のベルト片であって、両者は接合作業が簡便な嵌合タイプのリベット組立体８によって互いに接合されている。従って、脆弱部分４ｅが破断したとしても、損傷のない一般部分４ｆを再利用して、脆弱部分４ｅのみ新規のものに交換して、リベット組立体８にて接合することによって、安価にかつ簡単に修理を行うことが出来る。また、リベット組立体８の接合作業は簡単であるので、上記修理作業は、工場などにおいて行わずとも、キーホルダー保持バンド１を使用する保管設備のある現地で行うことが可能なため、コストの削減および当該保管設備の円滑な運用を実現する。
【００５０】
また、ベルト体４、留め具５、メス型スナップ６、オス型スナップ７は、いずれも金属などの素材と比較して、剛性が低く、熱伝導性の低い合成樹脂から形成されている。これにより、本実施形態のキーホルダー保持バンド１は、その外側に金属などの硬い部分が使用されていないので、例えばレジャープール施設の滑り台の樹脂部分などを傷つけ、補修の手間や費用を発生させることがない。また、例えばサウナのような場所では、金属素材の構成要素は高温となるため、手首３などの装着部分に火傷を負うことがあるが、そのようなおそれもない。
【００５１】
なお、本実施形態にあっては、係合部材としてのメス型スナップ６を非係合部材としてのオス型スナップ７に対して係合し、オス型スナップ７は２つを環状装着部４ｃに設けることとしたが、この構成に限定されるものではなく、上記構成以外の係合手段を用いてもよい。また非係合部材は環状装着部４ｃ以外の場所、例えば留め具５や調整用延出部４ｄに設けることとしてもよい。また、非係合部材の数は３つ以上であってもよいし、係合部材とともに全く設けないこととしてもよい。
【００５２】
また、本実施形態にあっては、メス型スナップ６は、ストッパ部材と係合部材とを兼ねることとしたが、これに限定されるものではなく、例えばストッパ部材は係合部材としてのメス型スナップ６とは異なるフックなどの公知・周知のストッパ手段を用いてもよい。係合部材および非係合部材についても、互いに係合され得る何らかの係合手段であれば、その形態は問われない。また、留め具５についても、上記実施形態のような構成のものに限定されるものではない。
【００５３】
図６には、本発明にかかるキーホルダー保持バンドの実施形態の変形例が示されている。この変形例にあっては、上記実施形態の留め具５の代わりに挿通具９が設けられており、挿通具９は、断面が略コの字型のベース体９ａと、ベース体９ａの双壁部９ｂに架設されてベース体９ａとの間にベルト体４の挿通孔９ｃを形成するバー９ｄとから構成される。また、ベルト体４の調整用延出部４ｂには係合部材としてのメス型スナップ６が設けられ、環状装着部４ｃには被係合部材としてのオス型スナップ７が設けられており、ベルト体４を、挿通具９のバー９ｄを基点に折り返すことによって、メス型スナップ６がオス型スナップ７に係合される。また上記実施形態と同様に、メス型スナップ６は、ストッパ部材としても機能し、調整用延出部４ｂが挿通具９から抜脱することを防止する。
【００５４】
本変形例のキーホルダー保持バンド１を、使用者が左手首３に装着するには、基本的には上記実施形態と同様であるが、本変形例にあっては、留め具５の係止部材５ｃを用いてベルト体４を留め具５上に係止する操作は必要ない。すなわち、左手首を環状装着部４ｃに挿入した後、右手で調整用延出部４ｂを挿通具９を基点に折り返す方向に引っ張りつつ、メス型スナップ６をオス型スナップ７に係合させるだけでよい。
【００５５】
このような変形例にあっても、上記実施形態と同様の作用効果を奏することはもちろんである。特に本変形例にあっては、キーホルダー保持バンド１の装着作業が上述のごとく、より一層簡単となる。また挿通具９は、上記実施形態の留め具５よりも簡単な構成であるので、部品点数の削減と製造工程の簡単化、およびコスト削減を図ることができる。
【００５６】
なお、本変形例にあっては、ベルト体４を挿通具９を基点に折り返してメス型スナップ６とオス型スナップ７とを係合することとしたが、このような構成に限定されるものではなく、ベルト体４を挿通方向に回して、調整用延出部４ｄに設けられたメス型スナップ６と、環状装着部４ｃに設けられたオス型スナップ７とを係合させることとしてもよい。
【００５７】
なお、上記いずれの実施形態にあっても、本発明のキーホルダー保持バンドを左手首に装着する例について説明したが、装着対象はこれに限られるものではない。腕の上腕部分や足首など、また体の一部以外の場所などに装着することも同様に可能である。
【図面の簡単な説明】
【００５８】
【図１】本発明にかかるキーホルダー保持バンドの一実施形態を示す斜視図である。
【図２】図１のキーホルダー保持バンドの留め具周辺を示す斜視図である。
【図３】図１のキーホルダー保持バンドの留め具や調整用延出部の動作を示す説明図である。
【図４】図１のキーホルダー保持バンドの留め具や調整用延出部の動作を示す説明図である。
【図５】図１のキーホルダー保持バンドの留め具や調整用延出部の動作を示す説明図である。
【図６】本発明にかかるキーホルダー保持バンドの実施形態の変形例を示す斜視図である。
【図７】従来のキーホルダー保持バンドの一例を示す平面図である。
【符号の説明】
【００５９】
１  キーホルダー保持バンド
２  キーホルダー
３  手首
４  ベルト体
４ａ  ベルト体一端側
４ｂ  ベルト体他端側
４ｃ  環状装着部
４ｄ  調整用延出部
４ｅ  脆弱部分
４ｆ  一般部分
５  留め具
５ａ  ベース体
５ｂ  ヒンジ部
５ｃ  係止部材
５ｄ  ベルト体係止部
５ｅ  係止操作片
６  メス型スナップ
７  オス型スナップ
８  リベット組立体
９  挿通具
【図１】
2006061571.tif 000003
【図２】
2006061571.tif 000004
【図３】
2006061571.tif 000005
【図４】
2006061571.tif 000006
【図５】
2006061571.tif 000007
【図６】
2006061571.tif 000008
【図７】
2006061571.tif 000009